(57)【特許請求の範囲】
【請求項１】
先端部が開口され外周面に複数の集水孔が開孔された排水管本体と、
先端部が開口され外周面に複数の集水孔が開孔された軸管と、
前記排水管本体に内接して前記軸管に被装されて、前記軸管とともに前記排水管本体内に着脱可能に挿入されている透水濾過材とを備え、
前記排水管本体の後端部外周には、鈎状爪が設けられた補強リングプレートが接合されており、
前記軸管の後端部には、嵌入口が開孔されたエンドプレートが接合されており、
前記軸管を前記排水管本体に挿入した状態で、前記嵌入口を前記鈎状爪に嵌入して前記エンドプレートを正逆回転させることで、前記軸管が前記排水管本体に着脱可能に構成されている
ことを特徴とする透水濾過装置。
【請求項２】
前記排水管本体の土中内への挿入の際に、
先端部が尖塔形状に形成され、前記排水管本体よりも長く形成された挿入用ガイドロッドが、前記排水管本体に着脱可能に挿入されており、
前記挿入用ガイドロッド先端の尖塔形状部の少なくとも最大径部は、前記排水管本体先端部に形成された異径管の内壁面に当接されている
ことを特徴とする請求項１に記載の透水濾過装置。
【請求項３】
前記軸管の外周面に前記透水濾過材を係止する手段が設けられている
ことを特徴とする請求項１又は請求項２に記載の透水濾過装置。
【請求項４】
請求項１乃至請求項３のいずれか１項に記載の透水濾過装置を備えた
ことを特徴とする擁壁。
【請求項５】
先端部が開口され、外周面に複数の集水孔が開孔された排水管本体に、先端部が尖塔形状に形成された挿入用ガイドロッドを挿入する第１のステップと、
前記排水管本体に前記挿入用ガイドロッドが挿入された状態で、前記排水管本体及び前記挿入用ガイドロッドの土中内への挿入が行われる第２のステップと、
該第２のステップが完了した後に、前記挿入用ガイドロッドが前記排水管本体から抜管される第３のステップと、
該第３のステップが完了した後に、透水濾過材が装着された軸管を前記排水管本体内に着脱可能に挿入する第４のステップとを備え、
前記第４のステップにおいて、前記排水管本体の後端部外周に接合された補強リングプレートに設けられた鈎状爪に、前記軸管後端部に接合されたエンドプレートに開孔された嵌入口を嵌入して前記エンドプレートを回転させて、前記透水濾過材が装着された軸管を前記排水管本体に着脱可能に取付けるステップを備えている
ことを特徴とする透水濾過装置の挿入方法。
【請求項６】
前記第２のステップにおいて、前記挿入用ガイドロッドの先端部に設けられた尖塔形状部の少なくとも最大径部を、前記排水管本体先端部に形成された異径管の内壁面に当接するステップを備えている
ことを特徴とする請求項５に記載の透水濾過装置の挿入方法。
【発明の詳細な説明】
【技術分野】
【０００１】
本発明は、河川、海岸、道路、造成地等の法面を形成する土中内に含有される浸透水を法面外に排水する透水濾過装置及び透水濾過装置の挿入方法に関する。
また、本発明は、河川、海岸、道路、造成地等に設けられた擁壁の裏込め土中内に含有される浸透水を擁壁外に排水する透水濾過装置及び透水濾過装置の挿入方法に関する。
【背景技術】
【０００２】
河川、海岸、道路、造成地等には、切土や盛土により法面（土羽ともいう。）が設けられている。
従来から、集中豪雨・長雨等による河川水位の上昇、高潮・津波による潮位の上昇などで、法面が形成された築堤、道路盛土の土中内に水が滞留して、築堤の決壊、道路盛土の崩壊が発生することを防止するために、法面から土中内部に向けて、側面に透水孔を有する集水管を打ち込み、土中内に浸透した水をこの集水管から法面外に排出する技術が知られている。造成地等に形成された法面や、擁壁においても、同様の理由により、法面内部の土中内部、擁壁背面の土中内部に向けて、側面に透水孔を有する集水管が打ち込まれている。
【０００３】
例えば、特許文献１には、築堤等の盛土、土地造成区域、山地等の傾斜土壌等に横方向に打込み使用する補強用水抜き鋼管が記載され、この補強用水抜き鋼管は、先端部が加圧されて舌状扁平部に形成され、鋼管の側壁に透水孔を多数設けることで、打込を容易に行うことが出来、打込によって崩れやすい土壌が補強されると共に土壌に浸透した雨水等の水分は透水孔により鋼管内に集められ外部に排出されるので土壌の崩壊を有効に防止することができることが記載されている。
【０００４】
また、特許文献２には、地すべり工法において、先ずケーシングパイプを挿入しながら予定深度までボーリングし、該ケーシングパイプを予定深度まで挿入したら、インナーロッドを抜き取り、次いで、前記ケーシングパイプの内部には全長に渡って、多数の水抜き孔が周設され先端が円錐状に閉塞された集水パイプ本体を挿入する集水工法が記載され、集水パイプ本体が安定した状態で地山に埋設され、前記水抜き孔より集水された地下水が集水パイプ本体の吐出口から排水され、地すべりを防止することが記載されている。
また、特許文献２には、集水パイプの外周面にスポンジからなる抵抗体を螺旋状に接着して、ケーシングパイプの内壁面に密着させながら挿入し、その後、ケーシングパイプを抵抗体の螺旋方向と逆方向に回転させながら抜管することが記載されている。
【０００５】
特許文献３には、擁壁や水路壁等の既設構造物の壁に設けられた孔を介して裏込め土内に打ち込まれるガイド管と、外管と、前記外管内に全体が収容される本体管とを備え、前記ガイド管が、基端が開放し、先端が円錐状又は多角錐状の管状部材で形成され、前記外管が、開放した基端にフランジが設けられ、先端が閉鎖した管状部材によって形成された集水管と、両端が開放し、前記集水管の前記基端に対向する先端に設けられたフランジを前記集水管のフランジに当接させ締結具で締結することによって前記集水管に連結される壁内管とを有し、前記集水管が前記ガイド管内に収容されており、前記本体管が、基端が開放し、先端が閉鎖した管状部材で形成され、前記ガイド管、前記外管の前記集水管、および前記本体管うち前記集水管の内側に位置する前半部に、水抜き用の複数の開口部がそれぞれ設けられているウィープホールが記載され、ガイド管を用いることにより、裏込め土が崩れたりすることなしに、既設構造物に容易にウィープホールを設置することができ、また、目詰まりを起こした場合には、本体管を交換したり、洗浄することにより、ウィープホールの機能を良好に維持することができることが記載されている。
【０００６】
特許文献４には、側面に複数の水抜き用小孔が設けられた水抜き用鞘管内に挿入した削孔ロッドの削孔用ビットを回転させて地山を削孔した後、上記削孔ロッドを上記鞘管から引き抜いて回収し、地山の水を上記水抜き用鞘管から排水する際に、上記水抜き用鞘管の外周側に、流砂防止用のストッパー部材を取付けるとともに、削孔ロッドの回収後に、上記水抜き用鞘管の内部に濾過部材を挿入して、上記水抜き用鞘管内への土砂の流出を防止するようにしたので、これにより、削孔と水抜き用鞘管との隙間から砂の流出を防止することができるとともに、水抜き用鞘管内へ流砂の侵入を有効に防ぐことができるので、流砂現象の発生を確実に防止することができ、地山の水抜きを効率的に行うことができることができる地山の水抜き工法が記載されている。
【先行技術文献】
【特許文献】
【０００７】
【特許文献１】実公昭４５−０２５０６８号公報
【特許文献２】特開平１０−０３７１７４号公報
【特許文献３】特開２０１２−２３３３６７号公報
【特許文献４】特開２００３−２９３３７７号公報
【発明の概要】
【発明が解決しようとする課題】
【０００８】
上記特許文献１の鋼管、特許文献２の集水パイプ、特許文献３のガイド管、特許文献４の水抜き用鞘管は、それぞれ管の周壁に複数の透水孔が設けられ、土壌に浸透した雨水等の水分を集めて外部に排出するものであるが、土壌中への打込を容易にするために、先端部が舌状扁平部に形成されていたり（特許文献１参照。）、先端部が閉塞した円錐状に形成されていたり（特許文献２参照。）、先端が円錐状又は多角錐状の管状部材で形成されていたり（特許文献３参照。）しており、特許文献１〜３においては、先端部分から集水することはできない。また、特許文献４の水抜き用鞘管は、水抜き用鞘管への砂の侵入を防ぐために、先端部に砂止めゴムやコーン状の蓋材を設けている（図４等参照。）ので、先端部から集水することはできない。
【０００９】
そこで、本発明においては、排水管本体の外周面に集水孔を開孔するとともに、排水管本体の先端部も開口して集水力を向上させ、また、排水管本には透水濾過材を排水管本体に内接して挿着することで、土中内の水に混入した土粒子を濾過することができる透水濾過装置を提供することを目的とする。
また、本発明においては、排水管本体の外周面に集水孔を開孔するとともに、排水管本体の先端部も開口して集水力を向上させ、また、排水管本体内部には、外周面に集水孔が開孔された軸管を挿着し、この軸管には、排水管本体に内接して挿着される透水濾過材を被装して、土中内の水に混入した土粒子を濾過することができる透水濾過装置を提供することを目的とする。
また、本発明においては、前記排水管本体の外周面に螺旋状の遮水プレートを設けることで、土中内の水が排水管本体の外周面と土壌の境界部に沿って流れることを防止し、土中内の水を、確実に排水管本体の集水孔から集水して、排水管本体内部あるいは軸管内部の導水溝から排水することができる透水濾過装置を提供することを目的とする。
さらに、本発明においては、先端部が尖塔形状に形成された挿入用ガイドロッドを設け、排水管本体に挿入用ガイドロッドを挿着した際に、挿入用ガイドロッドの先端部が排水管本体の先端の開口部から突出することで、排水管本体の土中内への挿入を容易に行うことできる透水濾過装置の挿入方法を目的とする。
【課題を解決するための手段】
【００１０】
上記の目的を達成するため、本発明の透水濾過装置は、先端部が開口され外周面に複数の集水孔が開孔されている排水管本体と、先端部が開口され外周面に複数の集水孔が開孔された軸管と、前記排水管本体に内接して前記軸管に被装されて、前記軸管と共に前記排水管本体内に着脱可能に挿入されている透水濾過材とを備え、前記排水管本体の後端部外周には、鈎状爪が設けられた補強リングプレートが接合されており、前記軸管の後端部には、嵌入口が開孔されたエンドプレートが接合されており、前記軸管を前記排水管本体に挿入した状態で、前記嵌入口を前記鈎状爪に嵌入して前記エンドプレートを正逆回転させることで、前記軸管が前記排水管本体に着脱可能に構成されていることを第１の特徴とする。
【００１１】
また、本発明の透水濾過装置は、前記排水管本体の土中内への挿入の際に、先端部が尖塔形状に形成され、前記排水管本体よりも長く形成された挿入用ガイドロッドが、前記排水管本体に着脱可能に挿入されており、前記挿入用ガイドロッド先端の尖塔形状部の少なくとも最大径部は、前記排水管本体先端部に形成された異径管の内壁面に当接されていることを第２の特徴とする。
【００１２】
また、本発明の透水濾過装置は、前記軸管の外周面に前記透水濾過材を係止する手段が設けられていることを第３の特徴とする。
【００１５】
また、本発明の擁壁は、前記第１の特徴乃至前記第３の特徴に記載のいずれか１の透水濾過装置を備えたことを特徴とする。
【００１６】
また、本発明の透水濾過装置の挿入方法は、先端部が開口され、外周面に複数の集水孔が開孔された排水管本体に、先端部が尖塔形状に形成された挿入用ガイドロッドを挿入する第１のステップと、前記排水管本体に前記挿入用ガイドロッドが挿入された状態で、前記排水管本体及び前記挿入用ロッドの土中内への挿入を行う第２のステップと、該第２のステップが完了した後に、前記挿入用ガイドロッドを前記排水管本体から抜管する第３のステップと、該第３のステップが完了した後に、透水濾過材が装着された軸管を前記排水管本体内に着脱可能に挿入する第４のステップとを備え、前記第４のステップにおいて、前記排水管本体の後端部外周に接合された補強リングプレートに設けられた鈎状爪に、前記軸管後端部に接合されたエンドプレートに開孔された嵌入口を嵌入して前記エンドプレートを回転させて、前記透水濾過材が装着された軸管を前記排水管本体に着脱可能に取付けるステップを備えていることを第１の特徴とする。
【００１７】
また、本発明の透水濾過装置挿入方法は、前記第２のステップにおいて、前記挿入用ガイドロッドの先端部に設けられた尖塔形状部の少なくとも最大径部を、前記排水管本体先端部に形成された異径管の内壁面に当接するステップを備えていることを第２の特徴とする。
【発明の効果】
【００１８】
本発明によれば、排水管本体の外周面に集水孔を開孔するとともに、排水管本体の先端部も開口することにより、集水力を向上することができる。
【００１９】
また、本発明によれば、排水管本体内に透水濾過材を着脱可能に挿着することにより、土中内の水に混入した土粒子を濾過することができ、この透水濾過材が破損あるいは目詰まり等した場合は、簡単に交換可能である。
【００２０】
さらに、本発明によれば、先端部が尖塔状に形成された挿入用ガイドロッドを備えることで、排水管本体の土中内への挿入を容易にすることができる。
【図面の簡単な説明】
【００２１】
【図１】本発明の第一実施形態の透水濾過装置の排水管本体の説明図である。
【図２】本発明の第一実施形態の透水濾過装置の透水濾過部材及び軸管の説明図である。
【図３】本発明の第一実施形態の透水濾過装置の挿入用ガイドロッドの説明図である。
【図４】本発明の第一実施形態の透水濾過装置の法面への挿入方法を説明する図である。
【図５】本発明の第一実施形態の透水濾過装置の擁壁への挿入方法を説明する図である。
【図６】本発明における第二実施形態の透水濾過装置の透水濾過材本体を説明する図である。
【発明を実施するための形態】
【００２２】
以下、好適な実施の形態を用いて本発明をさらに具体的に説明する。但し、下記の実施の形態は本発明を具現化した例に過ぎず、本発明はこれに限定されるものではない。
【００２３】
（第一実施形態）
［透水濾過装置］
まず、本発明の第一実施形態の透水濾過装置の排水管本体について、図１（ａ）〜図１（ｄ）を参照しながら説明する。図１（ａ）は、本発明の第一実施形態の透水濾過装置の排水管本体の右側面図である。図１（ｂ）は、本発明の第一実施形態の透水濾過装置の排水管本体の正面断面図である。図１（ｃ）は、本発明の第一実施形態の透水濾過装置の排水管本体の内部構造説明図である。図１（ｄ）は、本発明の第一実施形態の透水濾過装置の変形例の斜視図である。
【００２４】
図１（ａ）〜図１（ｄ）に示すように、本発明の第一実施形態の透水濾過装置１は、外周面に複数の集水孔３が開孔された排水管本体２を有している。排水管本体２の底部には導水溝４が形成されており、集水孔３から集水された雨水等は、導水溝４で導水されて排水管本体２の後端部に設けられたエンドプレート５の排水口６から排水される。したがって、排水本体管２の底部の導水溝４の部分には、集水孔３は開孔されていない。ここで、集水孔３の形状は、特に限定されず、円形状、楕円形状等、集水が容易な形状に形成されればよい。
排水管本体２の先端部分は、先端開口部７ａを有する円錐台形状の異径管７が溶接により接合されており、この先端開口部７ａからも集水することができるので従来の排水管に比べ、集水力が格段に向上している。
【００２５】
排水管本体２の後端部には、補強リングプレート８が溶接接合されていて、この補強リングプレート８の端部には複数個所に鈎状爪９が設けられている。法面や擁壁面の表面に突出した排水管本体２の後端部外周には、土中内に挿入する際に挿入機械からの衝撃が加わるので、その衝撃緩衝用に補強リングプレート８が設けられている。
また、上記の補強リングプレート８に設けられた鈎状爪９を、後述する軸管の後端部に接合されたエンドプレート５に開孔された嵌入口１７に挿入することで、挿入時の不要な回転の防止も兼用している。
【００２６】
図１（ｂ）は、透水濾過装置１の排水管本体２の正面断面図である。排水管本体２は、断面が円形状で有り、外周面に集水孔３が開孔され、底部には、矢印で示した部分が導水溝４として設けられている。この導水溝４の部分には、集水孔３は開孔されない。
【００２７】
図１（ｃ）は、排水管本体２の内部構造を説明する図である。排水管本体２には、排水管本体２よりも小径の軸管１０が着脱可能に挿着されている。軸管１０も、排水管本体２と同様に、先端部が開口され、外周面には複数の集水孔１５が開孔されている。軸管１０の外周面には、所定間隔で突起状の止爪１１が設けられている。軸管１０は、外周に所定の厚みを有する略円筒形状の透水濾過材１２を被装されて排水管本体２に着脱可能に挿着される。ここで、外周に透水濾過材１２が被装された軸管１０を透水濾過軸管１３という。透水濾過軸管１３が破損あるいは目詰まりした際には新たな透水濾過軸管１３と交換する必要があるが、仮に、軸管１０に止爪１１が設けられていなかった場合、透水濾過軸管１３を排水管本体２から抜管したときに、軸管１０のみ抜管されて、透水濾過材１２が、排水管本体２内部に残ってしまう可能性がある。
【００２８】
このため、軸管１０の外周面の所定位置に突起状の止爪１１を設け、軸管１０に透水濾過材１２を被装した際に、透水濾過材１２が止爪１１に係止されることで、前述したように、透水濾過軸管１３を排水管本体２から抜管したときに、軸管１０のみ抜管されて、透水濾過材１２が、排水管本体２内部に残ってしまう可能性は大幅に低減された。なお、止爪１１は、軸管１０の外周面上から軸管１０の後端部に向けて鋭角をなすように突出される方がよい。このように形成したときは、当然、透水濾過材１２は、軸管１０の先端部から被装される。
軸管１０の後端部には、複数の嵌入口１７、ハンドル１４、排水口６が設けられたエンドプレート５が取り付けられている。
なお、第二実施例として後述するが、軸管１０を設けずに、排水管本体２に透水濾過材２を挿着した構成でも、所定の透水濾過作用を奏することができる。
【００２９】
なお、透水濾過材１２は、例えば、ポリプロピレンを植物のヘチマの乾燥繊維のような立体網目状に成型したもので構成されているが、透水濾過機能を有する素材であれば、特に限定されない。この透水濾過材１２は、排水管本体２の内壁面に内接して挿着される。
【００３０】
図１（ｄ）は、本発明の第一実施形態の透水濾過装置の変形例の斜視図である。透水濾過装置５０は、前述した透水濾過装置１の排水管本体２の外周面に、螺旋状に遮水プレート５１を形成したものであり、その余の構成は、透水濾過装置１の構成と同じである。
遮水プレート５１を設ける理由を以下に説明する。
【００３１】
前述した透水濾過装置１が土中内に挿入された状態において、排水管本体２の外周面と土中との間隙に土粒子が混入した水分が侵入し、排水管本体２の外周面に導水されて法面外に排出される虞がある。このような状態が頻発すると、排水管本体２の周囲の土中も、土粒子が混入した水分と共に排出されてしまい、排水管本体２の周囲の間隙が徐々に大きくなり、法面土中の強度劣化が発生してしまう。
【００３２】
このため、透水濾過装置５０では、排水管本体５１の外周面に螺旋状に遮水プレート５２を設けることで、土中の含有水が排水管本体２の外周面を伝って法面外に流出しようとしても、遮水プレート５２によって遮水され、確実に集水孔３から集水される。この結果、前述したような、排水管本体５１の外周面と土中との境界部の間隙が広がって法面土中の強度が劣化するという虞はなくなった。
【００３３】
なお、透水濾過装置５０を土中内あるいは擁壁内に挿入するときは、挿入機械によって、回転させながら挿入される。遮水プレート５２は、螺旋状に形成されているので、回転させることで、土中内あるいは擁壁内へ容易に挿入することができる。透水濾過装置５０を土中あるいは擁壁中から抜管するときは、挿入時と逆回転させれば、容易に抜管することができる。
【００３４】
次に、透水濾過軸管１３について図２（ａ）〜図２（ｄ）を参照しながら説明する。
図２（ａ）は、透水濾過軸管１３の内部構造を説明する図である。透水濾過軸管１３は、主に、透水濾過材１２と軸管１０とで構成されている。軸管１０は、排水管本体２と同様に、先端部が開口され、外周面に複数の集水孔１５が開孔されている。軸管１０には、外周全体に亘って、透水濾過材１２が被装されている。なお、軸管１０の先端部は開口されているが、この先端開口部１０ａには透水濾過材１２と同様の透水濾過材１２ａが埋設されており、これにより、先端開口部１０ａからの土粒子が濾過され、軸管１０内部へ流入することを防ぐことができる。軸管１０の後端部にはハンドル１４を有するエンドプレート５が接合されている。軸管１０の後端下部には、軸管排水口１６が開孔されている。軸管１０の先端開口部１０ａあるいは集水孔１５から集水されて濾過された水分は、この軸管排水口１６から排水され、さらに、エンドプレート５の排水口６から法面外あるいは擁壁外に排水される。軸管１０の底部にも、排水管本体２の底部に設けられた導水溝４と同様の導水溝が設けられている
【００３５】
図２（ｂ）は、図２（ａ）のＡ−Ａ’線断面図である。透水濾過軸管１３は、突起状の止爪１１を外周面に形成された断面略円形の軸管１０に、断面鍔状の透水濾過材１２が被装されて構成されている。止爪１１は、透水濾過材１２を軸管１０に係止するために設けられている。
断面鍔状の透水濾過材１２の内径は、軸管１０の外径とほぼ同じである。このため、透水濾過軸管１３を排水管本体２に挿着したときに、排水管本体２と軸管１０との隙間は透水濾過材１２で充填される。この結果、排水管本体２の先端開口部７ａは、透水濾過材１２と透水濾過材１２ａとで充填されることになる。
【００３６】
図２（ｃ）は、エンドプレート５の正面図である。鍔状のエンドプレート５には、上部と左右部の３個所に嵌入口１７が開孔され、中央部には、ハンドル１４が取付けられ、下部には排水口６が開孔されている。
【００３７】
図２（ｄ）は、軸管１０を説明する斜視図である。上述したように、軸管１０の外周面には、複数の止爪１１と、複数の集水孔１５が形成され、先端開口部１０ａが開口され、後端下部に軸管排水口１６が開孔されている。先端開口部１０ａには、透水濾過材１２ａが埋設されている。このため、透水濾過軸管１３を排水管本体２に挿着したときは、排水管本体２の先端開口部７ａからは土粒子が濾過されて水分が流入される。
軸管１０の後端部にはエンドプレート５が溶接接合されており、このエンドプレート５には、複数の嵌入口１７と、排水口６と、ハンドル１４が設けられている。
【００３８】
透水濾過軸管１３を排水管本体２に挿着するときは、排水管本体２の後部の補強リングプレート８に設けられた鈎状爪９に、エンドプレート５に開孔された嵌入口１７を嵌入して、ハンドル１４を回転させることで、鈎状爪９が嵌入口１７に係止される。つまり、透水軸管１３が排水管本体２に固定されるので、透水濾過装置１を土中内あるいは擁壁内に挿入するときに不要な回転を防止することができる。透水濾過軸管１３を排水管本体２から取り外すときは、ハンドル１４を逆に回せばよい。
【００３９】
次に、図３（ａ）〜図３（ｃ）を参照しながら、挿入用ガイドロッドについて説明する。
本発明において、排水管本体２の先端部は円錐台状に開口されている。従って、このまま、土中内に挿入することは非常に困難であり、挿入したとしても開口部から土粒子が入り込んでいるため、透水濾過軸管１３の挿着ができない。
【００４０】
そこで、本発明の第一実施形態の透水濾過装置においては、先端部が尖塔形状の挿入用ガイドロッド１８を排水管本体２に挿着して、この状態で土中内に挿入するようにしたものである。挿入用ガイドロッド１８を排水管本体２に挿着したときに、挿入用ガイドロッド１８の尖塔形状の先端部が排水管本体２の先端開口部７ａから突出するように構成されるので、土中内への挿入を容易に行うことができる。
挿入用ガイドロッド１８の先端部の形状は、尖塔形状の他、円錐形状、あるいは、多角錐形状でもよく、挿入ガイドロッド１８を土中内に挿入する際に抵抗が少なくなるような形状であれば、特に限定されない。
【００４１】
図３（ａ）は、挿入用ガイドロッド１８を排水管本体２に挿着する様子を説明する図である。挿入用ガイドロッド１８の外径は、排水管本体２の内径よりも小径である。また、挿入用ガイドロッド１８は、排水管本体２より長く形成され、先端の尖塔形状部の最大径部分は、排水管本体２の異径管７の内壁面に当接されるので、挿入用ガイドロッド１８の所定長の後部が、排水管本体２の後端部からはみ出している。このはみ出し部１８ａには、貫通孔１９が設けられている。この状態で、排水管本体２の補強リングプレート８に鍔２０を取り付ける。挿入用ガイドロッド１８に固着された鍔２０には、図３（ｂ）に示すように、複数の嵌入孔２１が、補強リングプレート８の複数の鈎状爪９に対応して設けられているので、この嵌入孔２１を鈎状爪９に嵌入させることで、鍔２０が補強リングプレート８に固定される。
【００４２】
鍔２０の取付けは、図３（ａ）、図３（ｂ）に示すように、前述した挿入ガイドロッド１８のはみ出し部１８ａに設けられた貫通孔１９に脱着用ハンドル２２を挿着して行う。脱着用ハンドル２２の一端には固定取手２２ａが嵌入されていて、他端には取り外し可能な脱着式取手２２ｂが嵌められている。固定取手２２ａと脱着式取手２２ｂとはシャフト２２ｃで連結されている。
排水管本体２を土中内に挿入する際に、排水管本体２が単独回転しないように排水管本体２後方部の補強リングプレ−ト８端に２箇所以上の突出した鈎状爪９を、鍔２０の内周面に開けた嵌入口２１に挿入して回転を防止する。また、挿入用ガイドロッド１８を引き抜く際には、はみ出し部１８ａの貫通孔１９に脱着用ハンドル２２を挿入して回転させながら引き抜く。
【００４３】
図３（ｃ）は、透水濾過装置１を土中内あるいは擁壁内に挿入する際に、挿入用ガイドロッド１８の後端部にアタッチメント２３を取り付けた様子を説明する図である。
さらには、挿入用ガイドロッツド１８後方端部に挿入機械ｂ１が装着可能なアタッチメント２３を嵌入する。アタッチメント２３の凹部分にも貫通孔２３ａ，２３ａが開けられており、挿入用ガイドロッド１８のはみ出し部１８ａにアタッチメント２３の凹部を嵌合し、貫通孔１９に連結ピン２４を挿入して接続可能とした。連結ピン２４は、ボルト・ナット対でもよい。
アタッチメント２３の後端部には、挿入機械ｂ１に接触し、挿入する際の衝撃吸収用の緩衝パッキン２５が設けられている。
【００４４】
［透水濾過装置の挿入工方法］
図４を参照しながら、透水濾過装置１、５０の挿入機械ｂ１を用いた土中内への挿入方法を説明する。図４（ａ１）、図４（ａ２）、図４（ａ３）、図４（ａ４）は、透水濾過装置１の挿入方法を示し、図４（ｂ１）、図４（ｂ２）、図４（ｂ３）、図４（ｂ４）は、透水濾過装置５０の挿入方法を示している。
【００４５】
ここで、透水濾過装置１は、無回転状態で土中内に挿入されるが、透水濾過装置５０は、回転させながら土中内に挿入される。このように、透水濾過装置１の挿入方法と透水濾過装置５０の挿入方法の違いは、挿入時の回転の有無だけであり、その余の点については同じであるから、以下、透水濾過装置１の挿入方法について図４（ａ１）〜図４（ａ４）を参照しながら説明する。
【００４６】
まず、図４（ａ１）に示すように、設置場所に簡易軌条ｂ２を敷設して移動台車ｂ３上に固定された挿入機械ｂ１を据え付ける。予め、排水管本体２内に挿入された挿入用ガイドロッド１８後方端部にアタッチメント２３を嵌め込み連結ピン２４で接続する。接続された排水管本体２は簡易軌条上ｂ２の移動台車ｂ３に固定された挿入機械ｂ１を反力受台ｂ４前面に設置された推進機械ｂ５で法面に押し出されて土中内ａ２に挿入される。
【００４７】
図４（ａ２）は、排水管本体２挿入終了の後に、挿入機械ｂ１を撤去して挿入用ガイドロッド１８のはみ出し部１８ａの貫通孔１９に脱着用ハンドル２２を取り付けて、回転させながら引き抜く方法を示している。
【００４８】
図４（ａ３）は、挿入用ガイドロッド１８が、排水管本体２から抜管された後、排水管本体２に、透水濾過材１２と軸管１０を備えた透水濾過軸管１３を挿着する方法を示す。
【００４９】
図４（ａ４）は、排水管本体２内に、透水濾過軸管１３を挿入して、補強リングプレ−ト８に設けられた鈎状爪９にエンドプレ−ト５に開孔された嵌入口１７を嵌入させてハンドル１４を回転させて固定する方法を示している。このようにして、透水濾過装置１の土中内への挿入が完了する。
【００５０】
なお、図には示していないが、透水濾過装置１の機能が低下した際には、先ずはエンドプレ−ト５に取付けられたハンドル１４を回転させてエンドプレ−ト５を、鈎状爪９から外し、ハンドル１４を回転させながら透水濾過軸管１３を引き抜くことで排水管本体２内壁の清掃を行うことができる。この操作を繰り返すことで、透水濾過装置１の維持管理を行うことができる。
【００５１】
［透水濾過装置を備えた擁壁］
最後に、図５を参照しながら、本発明の第一実施形態の透水濾過装置の擁壁への挿入について説明する。
図５（ａ）は、擁壁の施工と同時に透水濾過装置１を擁壁内を介して、擁壁背面の土中内部に設置する技術を説明する図である。図５（ａ）には、擁壁ａ３と、擁壁ａ３背面の土中ａ２と、擁壁背面の土中ａ２の上部に形成された法面ａ１が示されている。擁壁ａ３はコンクリート製である。擁壁ａ３を形成する過程で、透水濾過装置１を設置しておき、擁壁ａ３内部の透水濾過装置１が埋設される範囲には、保護材Ｐを巻き付けておく。
【００５２】
また、擁壁ａ３の擁壁背面の土中ａ２側には、透水濾過装置１の一部が突出しているが、この突出部分は、擁壁ａ３背面の土の埋め戻しである擁壁背面土中ａ２が形成された過程において、擁壁背面土中ａ２内に埋設される。そして、透水濾過装置１の排水管本体２の後端部は、擁壁ａ３の壁面に露出しており、擁壁背面土中ａ２中の水分が集水されて排水管本体２の排水口６から擁壁ａ３の壁面外に排水される。
【００５３】
図５（ｂ）は、透水濾過装置５０を既設の擁壁の擁壁背面土中の内部に挿入する技術を説明する図である。図５（ｂ）には、擁壁ａ３１と、擁壁ａ３１の背面の土中ａ２と、擁壁背面土中ａ２の上部に形成された法面ａ１が示されている。既設の擁壁ａ３１はコンクリート製であり、透水濾過装置５０を挿通可能な挿通孔は、設けられていない。そこで、まず、削孔機（不図示。）で、擁壁ａ３１に透水濾過装置５０が挿通可能な挿通孔２７を形成する。そして、挿入機械ｂ１を用いて、挿通孔２７に、透水濾過装置５０を回転させながら挿入し、擁壁ａ３１を介して、擁壁背面土中ａ２内に挿入する。
【００５４】
このようにして、透水濾過装置５０を、既設の擁壁の背面土中ａ２内に挿入することができる。このとき、透水濾過装置５０の排水管本体２の後端部は、擁壁ａ３１の壁面に露出しており、擁壁背面土中ａ２内部の水分が集水されて排水管本体２の排水口６から擁壁ａ３１の壁面外に排水される。
【００５５】
（第二実施形態）
次に、まず、本発明の第二実施形態の透水濾過装置について図６（ａ）〜図６（ｄ）を参照しながら説明する。本発明の第二実施形態の透水濾過装置は、第一実施形態の透水濾過装置１において、軸管１０を設けない点が大きく異なっている。排水管本体は第一実施形態と同様であるので説明を省略し、ここでは、内部に設けられた透水濾過材本体と関連する部材について説明する。図６（ａ）は、透水濾過材本体６０の右測面の断面図であり、図６（ｂ）は、透水濾過材本体の斜視図であり、図６（ｃ）は、図６（ａ）のＢ−Ｂ’断面図であり、図６（ｄ）は、透水濾過材本体のエンドキャップの斜視図である。
【００５６】
本発明の第二実施形態の透水濾過装置には、軸管を設けずに、図６（ａ）〜図６（ｄ）に示すような透水濾過材本体６１が挿着されている。透水濾過材本体６１は、先端部及び後端部が開口された略円筒形の透水濾過材６２と、透水濾過材６２の先端開口部６３に埋設される先端透水濾過材６４と、透水濾過材６２の後端開口部６５に着脱可能に挿着されたエンドキャップ６６を備え、不図示の排水管本体に内接して挿着されるように形成されている。
【００５７】
透水濾過材６１は、第一実施形態の透水濾過材１２と同一の素材、形状でもよいし、素材、形状を必要に応じて適宜変更されてもよい。先端透水濾過材６４は、透水濾過材６１と同様の素材でよく、先端開口部６３から土粒子が混入しないように、先端開口部に埋設されている。
【００５８】
エンドキャップ６６は、ソケット６７とエンドプレート６８とを備えている。ソケット６７は、略円筒形をなし、透水濾過材６２に着脱可能に挿着されるように形成され、端部はエンドプレートに取り付けられている。エンドプレート６８は、第一実施形態のエンドプレート５と同様の構成であるので、説明を省略する。
【００５９】
このように、本発明の第二実施形態の透水濾過装置においては、第一実施形態と同様の透水濾過材６２と先端透水濾過材６４を設けることにより、一定の透水濾過作用を奏するものである。また、第二実施形態の透水濾過装置は、軸管を用いることなく、透水濾過材６３の後端開口部６５にエンドキャップ６６を挿着して、排水管本体２内への着脱を容易に行うことができる。エンドキャップ６６の排水管本体２への着脱は、第一実施形態と同様である。
【００６０】
本発明の第二実施形態の透水濾過装置も第一実施形態の透水濾過装置と同様に遮水プレートを設けることができ、また、第一実施形態の透水濾過装置と同様に擁壁に設置することができる。遮水プレートの構成、擁壁への設置方法、構成等については、と第一実施形態と同様であるので説明を省略する。
【符号の説明】
【００６１】
１，５０            透水濾過装置
２                  排水管本体
３，１５            集水孔
４                  導水溝
５                  エンドプレート
６                  排水口
７                  異径管
７ａ，１０ａ，６３  先端開口部
８                  補強リングプレート
９                  鈎状爪
１０                軸管
１１                止爪
１２，１２ａ，６２  透水濾過材
１３                透水濾過軸管
１４                ハンドル
１６                軸管排水口
１７                嵌入口
１８                挿入用ガイドロッド
１８ａ              はみ出し部
１９                貫通孔
２０                鍔
２１                嵌入口
２２                脱着用ハンドル
２２ａ              固定取手
２２ｂ              脱着式取手
２２ｃ              シャフト
２３                アタッチメント
２４                連結ピン
２５                緩衝パッキン
２６，２７          挿通孔
６１                透水濾過材本体
６４                先端透水濾過材
６５                後端開口部
６６                エンドキャップ
６７                ソケット
ａ１                法面
ａ２                擁壁背面土中
ａ３，ａ３１        擁壁
ｂ１                挿入機械
ｂ２                簡易軌条
ｂ３                移動台車  
ｂ４                反力受け台
ｂ５                推進機
【図１】
0006372949.tif 000002
【図２】
0006372949.tif 000003
【図３】
0006372949.tif 000004
【図４】
0006372949.tif 000005
【図５】
0006372949.tif 000006
【図６】
0006372949.tif 000007